(57)【要約】【課題】個々のユーザに対応した基準で伝送速度を表示することができる移動通信システムを提供する。【解決手段】移動端末１００が受信する、無線基地局２００から送信されるパイロット信号を、予め定めた規則に従って伝送速度と関連付けする。さらに、関連付けた伝送速度と表示シンボルとの関連付けを行う。そして、移動端末１００が受信したパイロット信号に関連付けられている伝送速度を特定し、さらに、当該移動端末１００のユーザに対し、特定した伝送速度に関連付けられている画像シンボルを、当該移動端末１００の表示部に表示させる。【選択図】　図１
2004056208.tif 000002
【特許請求の範囲】
【請求項１】
移動通信基地局を介して移動通信を行なう移動通信端末において、
前記移動通信基地局からの伝送速度を計測するための信号を受信する受信部と、
前記受信部が受信した信号から前記伝送速度に関するデータを計測する信号処理部と、
前記信号処理部が計測したデータから予め定めた規則にしたがって、伝送速度を特定し、該特定した伝送速度を速度クラスに分類し、さらに、該分類した速度クラスに予め対応付けられている画像シンボルを特定するシンボル決定部と、
前記シンボル決定部が特定した画像シンボルを表示する表示部と、
を有すること
を特徴とする移動通信端末。
【請求項２】
請求項１に記載の移動通信端末において、
前記速度クラスと、前記伝送速度の範囲と、前記画像シンボルとを予め関連付けて格納しているシンボル決定テーブルを記憶する記憶部を有し、
前記シンボル決定部は、
前記特定した伝送速度を、前記シンボル決定テーブルに格納されたデータに基づいて、前記特定した伝送速度が属する速度クラスに分類して、該分類した速度クラスに対応した画像シンボルの特定を行なうこと
を特徴とする移動通信端末。
【請求項３】
請求項２に記載の移動通信端末において、
前記シンボル決定テーブルの速度クラスの登録および変更と、
前記シンボル決定テーブルの画像シンボルの登録および変更と、を受付けるユーザインタフェース部を有すること
を特徴とする移動通信端末。
【請求項４】
請求項１から３のいずれか一項に記載の移動通信端末において、
前記シンボル決定部は、
前記信号処理部が計測した伝送速度に関するデータの増減傾向値を求める統計処理を行い、該統計処理により求めた増減傾向値が予め定めた値より減少傾向を示すものである場合に、前記特定した速度クラスに対応した画像シンボルから、１クラス下げた速度クラスに対応した画像シンボルを特定し、前記表示部に前記特定した画像シンボルを表示させること
を特徴とする移動通信端末。
【請求項５】
請求項１から４のいずれか一項に記載の移動通信端末と、前記移動通信端末と接続する移動通信基地局と、を備え、
前記移動通信基地局は、
前記移動通信端末宛てに伝送速度を計測するための信号を送信する通信処理部を有すること
を特徴とする移動通信システム。
【請求項６】
移動通信基地局を介して移動通信を行なう移動通信端末において、
前記移動通信基地局からの伝送速度を指定するデータを含む信号を受信する受信部と、
前記受信部が受信した信号に含まれている前記伝送速度を指定するデータから、予め定めた規則にしたがって伝送速度に関連付けられた画像シンボルを特定するシンボル決定部と、
前記シンボル決定部が特定した画像シンボルを表示する表示部と、
を有すること
を特徴とする移動通信端末。
【請求項７】
請求項６に記載の移動通信端末と、前記移動通信端末と接続する移動通信基地局と、を備え、
前記移動通信基地局は、
前記移動通信端末宛てに、伝送速度を指定するデータを含む信号を送信する通信処理部を有すること
を特徴とする移動通信システム。
【請求項８】
移動通信基地局を介して移動通信を行なう移動通信端末の表示画面に通信データの伝送速度を表示させる、移動通信のデータ伝送速度表示方法であって、
移動通信基地局において、
前記移動通信端末宛てに伝送速度を計測するための信号を送信する送信処理を実行し、
前記移動通信端末において、
前記送信処理により送信された伝送速度を計測するための信号を受信する受信処理を実行し、
前記受信処理が受信した信号から前記伝送速度に関するデータを計測する信号処理を実行し、
前記信号処理が計測したデータから予め定めた規則にしたがって、伝送速度を特定し、該特定した伝送速度について速度クラスに分類し、さらに、該分類した速度クラスに予め対応付けられた画像シンボルを特定するシンボル決定処理を実行し、
前記シンボル決定処理が特定した画像シンボルを前記表示画面に表示する表示処理を実行すること
を特徴とする移動通信のデータ伝送速度表示方法。
【請求項９】
移動通信基地局を介して移動通信を行なう移動通信端末の表示画面に通信データの伝送速度を表示させる、移動通信のデータ伝送速度表示方法であって、
移動通信基地局において、
前記移動通信端末宛てに、伝送速度を指定するデータを含む信号を送信する送信処理を実行し、
前記移動通信端末において、
前記移動通信基地局からの伝送速度を計測するための信号を受信する受信処理を実行し、
前記受信処理が受信した信号に含まれている前記伝送速度を指定するデータから、予め定めた規則にしたがって該伝送速度に関連付けられた画像シンボルを特定するシンボル決定処理を実行し、
前記シンボル決定処理が特定した画像シンボルを前記表示画面に表示する表示処理を実行すること
を特徴とする移動通信のデータ伝送速度表示方法。
【発明の詳細な説明】
【０００１】
【発明の属する技術分野】
本発明は、移動通信システムに関する。
【０００２】
【従来の技術】
近年、パソコンだけではなく、携帯電話や、ＰＤＡ（Ｐｅｒｓｏｎａｌ　Ｄｉｇｉｔａｌ（Ｄａｔａ）Ａｓｓｉｓｔａｎｔｓ）や、その他の移動通信端末を用いて行う、動画や音楽などの大容量データ通信の需要が増加している。かかるデータ通信において、単位時間に運ぶデータ量を示す伝送速度は、データ通信に要する時間や、通信費用を把握する上で重要な要素となる。
【０００３】
ところで、移動通信システムの場合、伝送速度は、基地局側からの距離、移動通信端末の移動速度等により変化する。
【０００４】
したがって、通信を行う前にユーザに現在の伝送速度を提示できれば、ユーザは、伝送速度が遅い場合に、大量のデータを通信することを控える。このことにより、通信キャリア側は、ユーザの長時間にわたる回線の占有による回線効率悪化を減少させることができる。一方、ユーザ側は、現在行っている通信処理時間の目処を立てることができ、また、通信費用の予想も立てることもできる。
【０００５】
従来から、有線通信の分野ではデータの伝送時間の伝送速度を表示する例はある。また、移動体通信分野においても特開２０００−２６１３７０号公報には、端末から基地局に行う上りの伝送速度について移動通信端末に表示させる技術が記載されている。
【０００６】
【発明が解決しようとする課題】
ライフスタイルの多様化に伴い、ユーザが通信するデータは、様々な分野、種類におよぶ。また、ユーザ毎に通信を行うデータの種類は異なることが多く、それに伴い、通信を行うユーザ毎に必要としている伝送速度についても異なる傾向にある。
【０００７】
しかしながら、上述の従来の技術は、ユーザが必要とする伝送速度について、個々のユーザに対応した基準で表示させるものではない。そこで、本発明は、個々のユーザに対応した基準で伝送速度を表示することを目的とする。
【０００８】
また、移動通信システムの伝送速度は、上述のように基地局側からの距離、移動通信端末の移動速度等により変化する。そのため、ユーザが、データ通信に最適であると判断した伝送速度であっても、通信中に伝送速度が悪化することがある。そこで、本発明は、伝送速度の変化の傾向を反映させた伝送速度を表示することを目的とする。
【０００９】
さらに、移動通信においては、ネットワークのトラフィックの輻輳等の何らかの理由により通信キャリア側において、ユーザの通信を抑制・喚起したい場合がある。そこで、本発明は、伝送速度を基地局側で決定し、ユーザに対して決定した伝送速度を表示することを目的とする。
【００１０】
【課題を解決するための手段】
上記課題を解決するため、本発明では、移動通信端末が受信する、基地局から送信されるパイロット信号を、予め定めた規則に従って伝送速度と関連付けする。さらに、関連付けた伝送速度と表示シンボルとの関連付けを行う。そして、移動通信端末が受信したパイロット信号に関連付けられている伝送速度を特定し、さらに、当該移動通信端末のユーザに対し、特定した伝送速度に関連付けられている表示シンボルを、当該移動通信端末の表示装置に表示させる。
【００１１】
例えば、本発明の第１の態様の移動通信システムは、移動通信端末と、該移動通信端末に接続される移動通信基地局と、を備えて構成される。
【００１２】
移動通信端末は、前記移動通信基地局からの伝送速度を計測するための信号を受信する受信部と、前記受信部が受信した信号から前記伝送速度に関するデータを計測する信号処理部と、前記信号処理部が計測したデータから予め定めた規則にしたがって、伝送速度を特定し、該特定した伝送速度を速度クラスに分類し、さらに、該分類した速度クラスに予め対応付けられている画像シンボルを特定するシンボル決定部と、前記シンボル決定部が特定した画像シンボルを表示する表示部と、を有する。
【００１３】
ここで、移動通信端末は、前記速度クラスと、前記伝送速度の範囲と、前記画像シンボルとを予め関連付けて格納しているシンボル決定テーブルを記憶する記憶部を有し、前記シンボル決定部は、前記特定した伝送速度を、前記シンボル決定テーブルに格納されたデータに基づいて、前記特定した伝送速度が属する速度クラスに分類して、該分類した速度クラスに対応した画像シンボルの特定を行なうこととしてもよい。
【００１４】
また、前記シンボル決定テーブルの速度クラスの登録および変更と、前記シンボル決定テーブルの画像シンボルの登録および変更と、を受付けるユーザインタフェース部を有することとしてもよい。
【００１５】
移動通信基地局は、前記移動通信端末宛てに伝送速度を計測するための信号を送信する通信処理部を有する。
【００１６】
このように本発明の第１の態様は、移動通信端末の表示部に、伝送速度を、それが属する速度クラスに分類して画像シンボルとして表示するため、ユーザは、データ通信に要する時間や費用等を判断してから、データ通信を行うことができる。また、本発明の第１の態様は、ユーザが移動通信端末に表示する伝送速度の画像シンボルの速度クラスを自由に設定できるため、ユーザの利用する通信データに応じた適切な伝送速度表示を行うことができる。
【００１７】
なお、本態様において、移動通信端末で特定した伝送速度に関するデータについて、予め定めた統計処理を行い、該統計処理のデータに基づいて表示させる画像シンボルを変更することとしてもよい。
【００１８】
例えば、移動通信端末において、前記シンボル決定部は、前記信号処理部が計測した伝送速度に関するデータの増減傾向値を求める統計処理を行い、該統計処理により求めた増減傾向値が予め定めた値より減少傾向を示すものである場合に、前記特定した速度クラスに対応した画像シンボルから、１クラス下げた速度クラスに対応した画像シンボルを特定し、前記表示部に前記特定した画像シンボルを表示させることとする。このような構成により、移動通信端末の表示部に、伝送速度の変化の傾向を踏まえた伝送速度の速度クラスに対応した画像シンボル表示を行うことができる。そのため、特に長時間を費やす大容量のデータを受信するユーザに対して、データの受信を行うか否かについての適切な判断材料を提供することができ、ユーザの満足度を向上させることができる。
【００１９】
また、上記課題を解決するため、本発明の第２の態様は、移動通信基地局が伝送速度を決定することとし、決定した伝送速度を通知する信号を移動通信端末に送信する。そして、移動通信端末は伝送速度を通知する信号を受信して伝送速度を通知する信号に関連付けられている表示シンボルを、当該移動通信端末の表示装置に表示させる。
【００２０】
例えば、本発明の第２の態様の移動通信システムは、上記の第１の態様の移動通信システムと同様に、移動通信端末と、移動通信基地局と、を備えて構成される。
【００２１】
移動通信端末は、前記移動通信基地局からの伝送速度を指定するデータを含む信号を受信する受信部と、前記受信部が受信した信号に含まれている前記伝送速度を指定するデータから、予め定めた規則にしたがって伝送速度に関連付けられた画像シンボルを特定するシンボル決定部と、前記シンボル決定部が特定した画像シンボルを表示する表示部と、を有する。
【００２２】
移動通信基地局は、前記移動通信端末宛てに、伝送速度を指定するデータを含む信号を送信する通信処理部を有する。
【００２３】
このように、本発明の第２の態様は、移動通信基地局で決定した伝送速度を、移動通信端末に伝送速度に関するシンボルとして表示させることができる。そのため、移動通信基地局側で、例えばネットワークのトラフィックを考慮した伝送速度を決定し、それを移動通信端末に表示することで、ユーザに対し、データ通信を抑制、又は、喚起させることができる。
【００２４】
【発明の実施の形態】
以下、本発明の実施の形態について図面を用いて説明する。
【００２５】
先ず、本発明の第１の実施形態について説明する。
【００２６】
図１は、本発明の第１実施形態が適用された移動通信システムの概略図である。
【００２７】
図示するように、本実施形態の移動通信システムは、移動端末１００ａ、１００ｂ、１００ｃ、１００ｄ（以下、単に「移動端末１００」とも呼ぶ）と、無線基地局２００と、無線移動交換局３００と、を備えて構成される。
【００２８】
ここで、移動端末１００は、無線基地局２００と無線によるデータ通信を行うもので、さらに、単位時間に運ぶデータ量を示す伝送速度に関するデータを表示する機能を有する。
【００２９】
図２に、移動端末１００の機能構成を示す。
【００３０】
図示するように、移動端末１００は、シンボル表示部１１０と、シンボル決定部１２０と、信号処理部１３０と、送受信部１４０と、ユーザインタフェース部１５０と、記憶部１６０と、アンテナ１７０と、を備えている。
【００３１】
シンボル表示部１１０は、伝送速度に関連付けたシンボル、通信データのコンテンツその他のデータを表示する。
【００３２】
記憶部１６０は、移動端末１００を動作させるプログラムと、伝送速度に関するデータと表示するシンボルとを関連付けて格納しているシンボル決定テーブル６００と、基地局２００から送信されるパイロット信号の関するデータと基地局２００に要求する伝送速度のデータとを関連付けて格納している伝送速度決定テーブル６５０とを記憶している。このシンボル決定テーブル６００と、伝送速度決定テーブル６５０のデータ構造の詳細については後述する。
【００３３】
送受信部１４０は、伝送速度を決定するためのパイロット信号を受信する。また、送受信部１４０は、無線基地局２００に対して伝送速度の要求データを送信する。さらに、送受信部１４０は、無線基地局２００との間でデータ通信を行う。
【００３４】
信号処理部１３０は、送受信部１４０が受信したパイロット信号を受付けて、パイロット信号から伝送速度に関するデータを測定して、該測定した伝送速度に関するデータをシンボル決定部１２０に送信する。また、信号処理部１３０は、後述する伝送速度要求データをシンボル決定部１２０から受信して、該伝送速度要求データを、送受信部１４０に無線基地局２００宛てに送信させる。
【００３５】
シンボル決定部１２０は、信号処理部１３０が、測定した伝送速度に関するデータと、記憶部１６０に格納されている伝送速度決定テーブル６５０のデータとに基づいて伝送速度要求値を決定し、決定した伝送速度要求値を、信号処理部１３０に送信する。さらに、シンボル決定部１２０は、信号処理部１３０が測定した前記の伝送速度に関するデータと、記憶部１６０に記憶されているシンボル決定テーブル６００に格納されたデータとに基づいて、シンボル表示部１１０に表示させるシンボルを決定して、当該決定したシンボルを表示部１１０に表示させる。
【００３６】
このように、本実施形態の移動端末１００は、移動端末１００側で受信する伝送速度を決定することができる。また、その決定した伝送速度と関連付けられたシンボルを移動端末１００がデータ送信する前に、シンボル表示部１１０に表示させることができる。
【００３７】
移動端末１００には、例えば、携帯電話機や、移動通信機能を備えた、あるいは携帯電話機等を接続可能に構成されたＰＤＡ（Ｐｅｒｓｏｎａｌ　Ｄｉｇｉｔａｌ（Ｄａｔａ）　Ａｓｓｉｓｔａｎｔｓ）や、カーナビゲーション端末装置を用いることができる。
【００３８】
無線基地局２００は、移動端末１００を移動交換局３００に中継する。
【００３９】
図３に、無線基地局２００の機能構成を示す。
【００４０】
図示するように、無線基地局２００は、各移動端末１００の伝送速度に関するデータを測定する計測部２１０と、移動端末１００とデータ通信を行う通信処理部２２０と、無線基地局２００内の各種制御を行う制御部２３０と、伝送速度に関するデータや回線効率等の統計処理を行う統計処理部２４０と、通信データと無線基地局２００を動作させるプログラムとを記憶する記憶部２５０と、移動交換局３００と接続するためのインタフェース部（以下「ＩＮＦ部」という）２６０と、アンテナ２７０と、を備えている。
【００４１】
通信処理部２２０は、パイロット信号を移動端末１００に送信する。また、移動端末１００の送受信部１４０から送信される移動端末１００の伝送速度の要求データを受信する。
【００４２】
計測部２１０は、通信処理部２２０が受信した受信データから伝送速度の要求値を計測する。
【００４３】
制御部２３０は、計測部２１０が計測した伝送速度の要求値から伝送速度を決定する。また、制御部２３０は、移動端末１００の要求に応じて、決定した伝送速度で移動端末１００に対して要求されたデータの送信を、通信処理部２２０に行わせる。
【００４４】
無線基地局２００には、例えば、移動端末１００と接続する無線通信機能、および、移動交換局３００と接続する通信機能を備えたコンピュータシステムを用いることができる。
【００４５】
移動交換局３００は、移動通信の回線交換を行なう。また、移動交換局３００は、ルータ３１０を備えている。ルータ３１０は、移動端末１００を、他の移動通信網や有線網などの他のネットワーク４００に接続する。これにより、移動端末１００および他のネットワーク４００との間でデータ中継が行なわれる。
【００４６】
次に、本実施形態の移動通信システムの、移動端末１００および基地局間のデータ伝送速度の決定動作について、データ通信にＨＤＲ（Ｈｉｇｈｔ　Ｄａｔａ　Ｒａｔｅ）システムを適用した場合を例に取り説明する。
【００４７】
図４は、データ通信にＨＤＲシステムを適用した場合における第１実施形態の移動通信システムの伝送速度決定シーケンスを説明するための図である。
【００４８】
無線基地局２００において、通信処理部２２０は、各移動端末１００に対してパイロット信号を送信する（Ｓ７０１）。
【００４９】
各移動端末１００において、送受信部１４０は、パイロット信号を受信し、該パイロット信号を信号処理部１３０に送信する（Ｓ７０２）。これを受けて、信号処理部１３０は、パイロット信号の搬送波対干渉雑音電力比（Ｃ／Ｉ：Ｃａｒｒｉｅｒ　ｔｏ　Ｉｎｔｅｒｆｅｒｅｎｃｅ　Ｐｏｗｅｒ　Ｒａｔｉｏ）値を測定する（Ｓ７０３）。その後、信号処理部１３０は、決定したＣ／Ｉ値のデータをシンボル決定部１２０に送信する（Ｓ７０４）。
【００５０】
シンボル決定部１２０は、信号処理部１３０よりＣ／Ｉ値のデータを受け取ると、記憶部１６０に格納されている、後述する伝送速度決定テーブル６５０のデータを参照して、Ｃ／Ｉ値に対応する伝送速度に関する数値であるＤＲＣ（Ｄａｔａ　Ｒａｔｅ　Ｃｏｎｔｒｏｌ）値を決定する（Ｓ７０５）。そして、該決定したＤＲＣ値のデータを信号処理部１３０に送信する（Ｓ７０６）。
【００５１】
信号処理部１３０は、シンボル決定部１２０より受け取ったＤＲＣ値のデータを送受信部１４０に送る（Ｓ７０７）。送信部１４０は、無線基地局２００にＤＲＣ値のデータを送信する（Ｓ７０８）。
【００５２】
無線基地局２００において、通信処理部２２０は、無線基地局２００宛てのＤＲＣ値のデータを受け取ると、これを計測部２１０に渡す。計測部２１０は、通信処理部２２０より受け取ったＤＲＣ値のデータから伝送速度の要求値を計測する。そして、制御部２３０は、計測したＤＲＣ要求レートの伝送速度で移動端末１００にデータを送信する。（Ｓ７０９）。
【００５３】
図５は、移動端末１００の記憶部１６０に記憶される伝送速度決定テーブル６５０のデータ構造の一例を模擬的に示している。
【００５４】
図示するように、伝送速度決定テーブル６５０は、伝送速度（ｋｂｐｓ）を登録するエントリ６５１と、ＤＲＣ値を登録するエントリ６５２と、Ｃ／Ｉ（ｄＢ）値を登録するエントリ６５３とを備えている。ここで、伝送速度決定テーブル６５０の各データは、移動端末１００の提供者が予め格納しておくこととする。
【００５５】
例えば、Ｃ／Ｉ値「−１２．５（ｄＢ）」、伝送速度「３８．４（ｋｂｐｓ）」およびＤＲＣ値「０×１」を、互いに対応付けて、エントリ６５３、エントリ６５１およびエントリ６５２に予め格納しておく。なお、本例で示した伝送速度決定テーブル６５０は、実際には、さらに細かい区分で各エントリにデータが格納されている。
【００５６】
例えば、シンボル決定部１２０は、信号処理部１３０から受信したＣ／Ｉ値が「−１２．５（ｄＢ）」の場合には、伝送速度決定テーブル６５０を参照して、エントリ６５３からＣ／Ｉ値「−１２．５（ｄＢ）」を特定する。そして、このＣ／Ｉ値「−１２．５（ｄＢ）」に対応付けられてエントリ６５２に登録されているＤＲＣ値「０×１」を選択し、このデータを信号処理部１３０に送信する。
【００５７】
信号処理部１３０は、送受信部１４０を介して無線基地局２００にＤＲＣ値「０×１」のデータを送信する。無線基地局２００は要求されたＤＲＣ値の「０×１」に対応する伝送レート「３８．４（ｋｂｐｓ）」で、移動端末１００に対してデータの送信を行う。このように、移動端末１００が、予め伝送速度決定テーブル６５０を有しているため、移動端末１００側において要求する伝送速度を決定でき、要求する伝送速度で無線基地局２００からデータを受信することができる。
【００５８】
なお、図５の伝送速度決定テーブル６５０は、データ通信にＨＤＲシステムが適用されることを前提としている。また、以下においても、データ通信にＨＤＲシステムが適用されることを前提として説明する。しかし、本実施形態は、これに限定されない。無線によるデータ通信が行える通信システムであればいい。
【００５９】
図６は、移動端末１００の記憶部１６０に記憶されるシンボル決定テーブル６００のデータ構造の一例を模擬的に示している。
【００６０】
図示するように、シンボル決定テーブル６００は、指定クラステーブル６０１と、デフォルトテーブル６１０と、ユーザ定義テーブル６２０と、シンボル定義テーブル６３０と、を有する。
【００６１】
シンボル定義テーブル６３０には、シンボルの種別（「デフォルト」、「ユーザ設定（１）」、「ユーザ設定（２）」、「ユーザ設定（３）」、「ユーザ設定（４）」、「ユーザ設定（５）」）毎に、移動端末１００の表示させる伝送速度を表すシンボルが登録されている（６３１〜６３６）。
【００６２】
デフォルトテーブル６１０は、速度クラスを登録するエントリ６１１と、伝送速度を登録するエントリ６１２と、シンボル種別を登録するエントリ６１３と、を備えている。ここで、デフォルトテーブル６１０の各データは、移動端末１００の提供者が予め格納しておくこととする。
【００６３】
エントリ６１１に登録される速度クラスは、伝送速度を速度別にクラス分けしたものである。ここでは、４つの速度クラスに分けている。しかし、本発明はこれに限定されるものではなく複数の速度クラスに分けて構成されていればよい。エントリ６１２に登録される伝送速度は、４つに分けた速度クラス６１１各々に伝送速度を対応付け（分類）したものである。そして、エントリ６１３に登録されるシンボルは、移動端末１００のシンボル表示部１１０に表示させるシンボルの種類を定義したものである。
【００６４】
例えば、図６に示すデフォルトデーブル６１０には、速度クラス「１」には伝送速度「２．４〜２．０（Ｍｂｐｓ）」が、速度クラス「２」には伝送速度「２．０〜１．０（Ｍｂｐｓ）」が、速度クラス「３」には伝送速度「１．０〜０．５（Ｍｂｐｓ）」が、そして、速度クラス「４」には伝送速度「〜０．５（Ｍｂｐｓ）」が格納されている。また、シンボル種別として、シンボル定義テーブル６３０に格納されているシンボル種別「デフォルト」が格納されている。
【００６５】
ユーザ定義テーブル６２０は、デフォルトテーブル６１０と同様に、速度クラスを登録するエントリ６２１と、伝送速度を登録するエントリ６２２と、シンボル種別を登録するエントリ６２３とを備えている。ユーザ定義テーブル６２０は、移動端末１００のシンボル表示部１１０に、上記のデフォルトの伝送速度表示のシンボルと異なるシンボル表示させる場合に用いられるものである。
【００６６】
例えば、図６に示すユーザ定義テーブル６２０には、速度クラス「１」には伝送速度「２．４〜１．５（Ｍｂｐｓ）」が、速度クラス「２」には伝送速度「１．５〜０．８（Ｍｂｐｓ）」が、速度クラス「３」には伝送速度「０．８〜０．１（Ｍｂｐｓ）」が、そして、速度クラス「４」には伝送速度「〜０．１（Ｍｂｐｓ）」が格納されている。また、シンボル種別として、シンボル定義テーブル６３０に格納されているシンボル種別「ユーザ設定（１）」が格納されている。なお、ユーザ定義テーブル６２０のシンボル種別を登録するエントリ６２３には、シンボル定義テーブル６３０に格納されているその他のシンボル種別を格納させことができる。
【００６７】
このように、ユーザが伝送速度のシンボル表示の速度クラスの分類を自由に変更できることとしているため、ユーザは自己の通信するデータの傾向に応じた伝送速度の速度クラスでシンボルを表示させることができる。また、ユーザは自分の好みのシンボルを表示することができる。なお、移動端末１００が行う伝送速度に関するシンボル表示の処理の流れは後段で詳細に説明する。
【００６８】
指定クラステーブル６０１は、移動端末１００が表示するシンボル表示の態様を指定する識別子を格納したものである。指定クラステーブル６０１には、この例では、「０：デフォルト」の識別子、「１：ユーザ指定（速度）」の識別子、「２：ユーザ指定（シンボル）」の識別子、「４：ユーザ指定（速度およびシンボル）」の識別子、のいずれかが格納されるようにしている。
【００６９】
例えば、速度クラスの決定および表示に使用するシンボルの決定の両方に、デフォルトテーブル６１０に登録されているものを用いる場合、指定クラステーブル６０１には、「０：デフォルト」が格納される。この場合、シンボル決定部１２０は、指定クラステーブル６０１の「０：デフォルト」から、速度クラスおよびシンボルの決定の参照テーブルとして、デフォルトテーブル６１０を選択する。
【００７０】
また、例えば、速度クラスの決定にデフォルトテーブル６１０に登録されているものを用い、表示に使用するシンボルの決定にユーザ定義テーブル６２０に登録されているものを用いる場合、指定クラステーブル６０１には、「２：ユーザ指定（シンボル）」が格納される。この場合、シンボル決定部１２０は、指定クラステーブル６０１の「２：ユーザ指定（シンボル）」から、速度クラスおよびシンボルの決定の参照テーブルとして、それぞれ、デフォルトテーブル６１０およびユーザ定義テーブル６２０を選択する。
【００７１】
その後、シンボル決定部１２０は、シンボル種別の参照テーブルに登録されているシンボル種別に対応付けられてシンボル定義テーブル６３０に登録されているシンボルデータと、伝送速度の参照テーブルに登録されている伝送速度に対応する速度クラスとを決定する。
【００７２】
次に、本実施形態の移動通信システムの、移動端末１００による伝送速度に応じたシンボル表示動作について説明する。
【００７３】
図７は、第１実施形態の移動通信システムの、移動端末１００による伝送速度に応じたシンボル表示動作シーケンスを説明するための図である。なお、図７において、図４に示すフローと同じ処理に対しては同じ符号を付している。
【００７４】
最初に、移動端末１００の記憶部１６０の指定クラステーブル６０１に、伝送速度およびシンボルの両方に、デフォルトテーブル６１０に登録されているものを用いることを示す「０：デフォルト」が登録されている場合について説明する。
【００７５】
まず、図４で示したＳ７０１〜Ｓ７０３と同じフローが図７においても行われる。これにより、信号処理部１３０により、該パイロット信号のＣ／Ｉ値が測定される。このＣ／Ｉ値の測定は、例えば１秒間に６００回行われる。そして、信号処理部１３０は、測定したＣ／Ｉ値の統計処理を行い、ＤＲＣ値の引数とするためのＣ／Ｉ値を決定する（Ｓ７１０）。ここで、本発明においては、上記の統計処理の方法はどのようなものでもよい。例えば、測定したＣ／Ｉ値に対して、予め定めた単位時間当たりの平均値を算出して、該平均値を伝送速度の決定の引数の値としてもよい。その後、信号処理部１３０は、決定したＣ／Ｉ値を予め定めたタイミングでシンボル決定部１２０に送信し、ＤＲＣ値の要求を行う（Ｓ７０４）。
【００７６】
シンボル決定部１２０は、信号処理部１３０から送信されたＣ／Ｉ値と、記憶部１６０に格納されている伝送速度決定テーブル６５０とに基づいてＤＲＣ値を決定する（Ｓ７０５）。そして、決定したＤＲＣ値を信号処理部１３０に送信する（Ｓ７０６）。
【００７７】
信号処理部１３０は、シンボル決定部１２０よりＤＲＣ値を受信したら、シンボル要求指示をシンボル決定部１２０に行う（Ｓ７１１）。その後、シンボル表示の処理は、シンボル決定部１２０で行われる。
【００７８】
シンボル決定部１２０は、指定クラステーブル６０１に定義されているクラスに基づいて指定クラスの判定を行い（Ｓ７１２）、参照するテーブルを決定する（Ｓ７１３）。ここでは、指定クラスは「０：デフォルト」に設定されているため、参照するテーブルとして、デフォルトテーブル６１０が選定される。
【００７９】
例えば、上記で決定したＤＲＣ値に対応する伝送速度の値が「１．５Ｍｂｐｓ」である場合は、当該伝送速度値の「１．５Ｍｂｐｓ」と、デフォルトテーブル６１０とから、速度クラス「２」を決定する。また、デフォルトテーブル６１０のシンボル種別「デフォルト」と、シンボル定義テーブル６３０とから、表示させるシンボルを決定する（Ｓ７１４）。
【００８０】
シンボル決定部１２０は、当該決定したシンボルを、当該決定した速度クラスに応じた表示態様で表示するように、シンボル表示部１１０に指示する（Ｓ７１５、Ｓ７１６）。シンボル表示部１１０は、該指示にしたがい、シンボル表示を行う（Ｓ７１７）。
【００８１】
図８は、シンボル表示部１１０が表示するシンボル表示画面の一例を示したものである。ここでは、速度クラスが「１」の場合に、シンボルを３つ表示し、速度クラスが「２」の場合にシンボルを２つ表示し、速度クラスが「３」の場合にシンボルを１つ表示し、速度クラスが「４」の場合にシンボルを表示しないこととしている。例えば、シンボル表示部１１０が、シンボル決定部１２０から「速度クラス：２、シンボル：デフォルト」の表示指示を受けた場合は、表示画面５１０に示すように、シンボル種別「デフォルト」に対応する「バケツ」のデザインのシンボルを２つ表示させる。
【００８２】
次に、移動端末１００の記憶部１６０の指定クラステーブル６０１に、伝送速度はユーザ定義テーブル６２０に登録されているものを用い、シンボルはデフォルトテーブル６１０に登録されているものを用いることを示す「１：ユーザ指定（速度）」が登録されている場合について図７を用いて説明する。
【００８３】
図７において、信号処理部１３０がシンボル決定部１２０にシンボル要求の指示をするところまでは、指定クラステーブル６０１に「０：デフォルト」が登録されている場合と同じである（Ｓ７０１〜Ｓ７１１）。ここで、シンボル決定部１２０が決定したＤＲＣ値に対応した伝送速度の値が「１．５Ｍｂｐｓ」であるとする。
【００８４】
さて、シンボル決定部１２０は、指定クラステーブル６０１に定義されているクラスに基づいて指定クラスの判定を行い（Ｓ７１２）、参照するテーブルを決定する（Ｓ７１３）。ここでは、指定クラスは「１：ユーザ指定（速度）」に設定されているため、参照するテーブルとして、速度クラスの決定についてユーザ定義テーブル６２０が選択され、表示するシンボルの決定についてはデフォルトテーブル６１０が選定される。
【００８５】
シンボル決定部１２０は、ユーザ定義テーブル６２０の速度クラス、および、伝送速度の関係に基づいて、速度クラスを決定する。また、デフォルトテーブル６１０のシンボル種別「デフォルト」に基づいて、シンボル定義テーブル６３０から表示に使用するシンボルを決定する（Ｓ７１４）。
【００８６】
ここでは、ＤＲＣ値に対応する伝送速度が「１．５Ｍｂｐｓ」であるため、シンボル決定部１２０は、図６のユーザ定義テーブル６２０において、伝送速度「１．５Ｍｂｐｓ」に対応する速度クラス「１」を選定し、デフォルトテーブル６１０のシンボル種別「デフォルト」に対応するシンボルを、シンボル定義テーブル６３０から決定する。
【００８７】
その後、シンボル決定部１２０は、当該決定したシンボルを、当該決定した速度クラスに応じた表示態様で表示するように、シンボル表示部１１０に指示する（Ｓ７１５、Ｓ７１６）。シンボル表示部１１０は、該指示にしたがい、シンボル表示を行う（Ｓ７１７）。
【００８８】
図９は、シンボル表示部１１０が表示するシンボル表示画面の一例を示したものである。ここでは、速度クラスの決定にユーザ定義テーブル６２０が適用されるため、伝送速度「１．５Ｍｂｐｓ」に対応する速度クラスとして、速度クラス「１」が選定される（デフォルトテーブル６１０が適用された場合は速度クラス「２」となる）。このため、シンボル表示部１１０は、表示画面５２０に示すように、シンボル種別「デフォルト」に対応する「バケツ」のデザインのシンボルを３つ表示させる。
【００８９】
次に、移動端末１００の記憶部１６０の指定クラステーブル６０１に、伝送速度はデフォルトテーブル６１０に登録されているものを用い、シンボルはユーザ定義テーブル６２０に登録されているものを用いることを示す「２：ユーザ指定（シンボル）」が登録されている場合について図７を用いて説明する。
【００９０】
図７において、信号処理部１３０がシンボル決定部１２０にシンボル要求の指示をするところまでは、指定クラステーブル６０１に「０：デフォルト」が登録されている場合と同じである（Ｓ７０１〜Ｓ７１１）。ここで、シンボル決定部１２０が決定したＤＲＣ値に対応した伝送速度の値が「１．５Ｍｂｐｓ」であるとする。
【００９１】
さて、シンボル決定部１２０は、指定クラステーブル６０１に定義されているクラスに基づいて指定クラスの判定を行い（Ｓ７１２）、参照するテーブルを決定する（Ｓ７１３）。ここでは、指定クラスは「２：ユーザ指定（シンボル）」に設定されているため、参照するテーブルとして、速度クラスの決定についてデフォルトテーブル６１０が選択され、表示するシンボルの決定についてはユーザ定義テーブル６２０が選定される。
【００９２】
シンボル決定部１２０は、デフォルトテーブル６１０の速度クラス、および、伝送速度の関係に基づいて、速度クラスを決定する。また、ユーザ定義テーブル６２０のシンボル種別「ユーザ（１）」に基づいて、シンボル定義テーブル６３０から表示に使用するシンボルを決定する（Ｓ７１４）。
【００９３】
ここでは、ＤＲＣ値に対応する伝送速度が「１．５Ｍｂｐｓ」であるため、シンボル決定部１２０は、図６のデフォルトテーブル６１０において、伝送速度「１．５Ｍｂｐｓ」に対応する速度クラス「２」を選定し、ユーザ定義テーブル６２０のシンボル種別「ユーザ（１）」に対応するシンボルを、シンボル定義テーブル６３０から決定する。
【００９４】
その後、シンボル決定部１２０は、当該決定したシンボルを、当該決定した速度クラスに応じた表示態様で表示するように、シンボル表示部１１０に指示する（Ｓ７１５、Ｓ７１６）。シンボル表示部１１０は、該指示にしたがい、シンボル表示を行う（Ｓ７１７）。
【００９５】
図１０は、シンボル表示部１１０が表示するシンボル表示画面の一例を示したものである。ここでは、速度クラスの決定にデフォルトテーブル６１０が適用されるため、伝送速度「１．５Ｍｂｐｓ」に対応する速度クラスとして、速度クラス「２」が選定される。このため、シンボル表示部１１０は、表示画面５３０に示すように、シンボル種別「ユーザ（１）」に対応する「ハート」のデザインのシンボルを２つ表示させる。
【００９６】
次に、移動端末１００の記憶部１６０の指定クラステーブル６０１に、伝送速度およびシンボルの両方にユーザ定義テーブル６２０に登録されているものを用いることを示す「３：ユーザ指定（速度およびシンボル）」が登録されている場合について図７を用いて説明する。
【００９７】
図７において、信号処理部１３０がシンボル決定部１２０にシンボル要求の指示をするところまでは、指定クラステーブル６０１に「０：デフォルト」が登録されている場合と同じである（Ｓ７０１〜Ｓ７１１）。ここで、シンボル決定部１２０が決定したＤＲＣ値に対応した伝送速度の値が「１．５Ｍｂｐｓ」であるとする。
【００９８】
さて、シンボル決定部１２０は、指定クラステーブル６０１に定義されているクラスに基づいて指定クラスの判定を行い（Ｓ７１２）、参照するテーブルを決定する（Ｓ７１３）。ここでは、指定クラスは「３：ユーザ指定（速度およびシンボル）」に設定されているため、参照するテーブルとして、ユーザ定義テーブル６２０が選定される。
【００９９】
シンボル決定部１２０は、ユーザ定義テーブル６２０の速度クラスおよび伝送速度の関係に基づいて、速度クラスを決定する。また、ユーザ定義テーブル６２０のシンボル種別「ユーザ（１）」に基づいて、シンボル定義テーブル６３０から表示に使用するシンボルを決定する（Ｓ７１４）。
【０１００】
ここでは、ＤＲＣ値に対応する伝送速度が「１．５Ｍｂｐｓ」であるため、シンボル決定部１２０は、図６のユーザ定義テーブル６２０において、伝送速度「１．５Ｍｂｐｓ」に対応する速度クラス「１」を選定し、ユーザ定義テーブル６２０のシンボル種別「ユーザ（１）」に対応するシンボルを、シンボル定義テーブル６３０から決定する。
【０１０１】
その後、シンボル決定部１２０は、当該決定したシンボルを、当該決定した速度クラスに応じた表示態様で表示するように、シンボル表示部１１０に指示する（Ｓ７１５、Ｓ７１６）。シンボル表示部１１０は、該指示にしたがい、シンボル表示を行う（Ｓ７１７）。
【０１０２】
図１１は、シンボル表示部１１０が表示するシンボル表示画面の一例を示したものである。ここでは、速度クラスの決定にユーザ定義テーブル６１０が適用されるため、伝送速度「１．５Ｍｂｐｓ」に対応する速度クラスとして、速度クラス「１」が選定される。このため、シンボル表示部１１０は、表示画面５４０に示すように、シンボル種別「ユーザ（１）」に対応する「ハート」のデザインのシンボルを３つ表示させる。
【０１０３】
次に、本実施形態の移動通信システムの、移動端末１００によるシンボル定義テーブルおよびユーザ定義テーブル登録・更新動作について説明する。
【０１０４】
図１２は、第１実施形態の移動通信システムの、移動端末１００によるシンボル定義テーブルおよびユーザ定義テーブル登録・更新動作シーケンスを説明するための図である。
【０１０５】
移動端末１００において、ユーザインタフェース部１５０は、シンボル表示部１１０に、シンボル定義テーブル６３０にシンボルデータを登録・更新するためのインタフェース画面を表示して（図示せず）、ユーザから、任意の画像データを、シンボル種別と共にシンボルデータとして受付ける（Ｓ７２１）。ここで、ユーザインタフェース部１５０がユーザからの任意の画像データを受付ける方法は、どのような方法であってもよい。例えば、移動端末１００が送受信部１４０を介してインターネットのウェブサイト上で提供されている画像シンボルデータをダウンロードして、該画像データをユーザインタフェース部１５０が受付けることとしてもよい。
【０１０６】
ユーザインタフェース部１５０は、シンボル決定部１２０に対して前記受付けた画像データを送信し、ユーザから受付けた任意画像の登録指示を行う（Ｓ７２２）。シンボル決定部１２０は、ユーザインタフェース部１５０からの指示を受けて記憶部１６０に格納されているシンボル定義テーブル６３０に、受付けた画像データを受付けたシンボル種別に対応付けて格納する（Ｓ７２３）。
【０１０７】
また、ユーザインタフェース部１５０は、シンボル表示部１１０が表示するシンボル種別の変更を受付けるため、シンボル表示部１１０にシンボル種別変更のためのインタフェース画面を表示して（図示せず）、ユーザからのシンボル種別の変更要求を受付ける（Ｓ７２４）。
【０１０８】
ユーザインタフェース部１５０は、シンボル決定部１２０に対して前記受付けたシンボル種別の変更要求のデータを送信する（Ｓ７２５）。シンボル決定部１２０は、ユーザインタフェース部１５０からのシンボル種別の変更要求のデータに基づいて、記憶部１６０に格納されている指定クラステーブル６０１のデータと、ユーザ定義テーブル６２０のシンボル種別６２３のデータとを更新する（Ｓ７２６）。
【０１０９】
例えば、シンボル決定テーブル６００が全てデフォルトで設定されている場合において、ユーザインタフェース部１５０が、表示するシンボル種別をシンボル定義テーブル６３０に格納されているユーザ設定（１）６３１のシンボルに変更する要求を受けたとする。かかる場合にシンボル決定部１２０は、ユーザインタフェース部１５０からの上記のシンボル変更要求データを受けて、指定クラステーブル６０１のデータを、「０：デフォルト」から、「２：ユーザ指定（シンボル）」に変更し、かつ、ユーザ定義テーブル６２０のシンボル種別６２３に「ユーザ設定（１）」を格納する。
【０１１０】
また、ユーザインタフェース部１５０は、シンボル表示部１１０に、シンボル決定テーブル６００の速度クラスの分類を変更するためのインタフェース画面を表示して（図示せず）、ユーザからの速度クラスの分類の変更を受付ける（Ｓ７２７）。
【０１１１】
ユーザインタフェース部１５０は、シンボル決定部１２０に、前記受付けた速度クラスの分類の変更要求データを送信する（Ｓ７２８）。シンボル決定部１２０は、ユーザインタフェース部１５０からの速度クラスの分類の変更要求データに基づいて、記憶部１６０に格納されている指定クラステーブル６０１のデータと、ユーザ定義テーブル６２０の伝送速度６２２のデータとを変更する（Ｓ７２９）。
【０１１２】
以上のように本発明の第１の実施形態によれば、移動端末１００のシンボル表示部１１０に、伝送速度を、それが属する速度クラスに分類してシンボルで表示するため、ユーザは、データ通信に要する時間や費用等を判断してから、データ通信を行うことができる。
【０１１３】
また、本発明の第１の実施形態によれば、ユーザが移動端末１００に表示する伝送速度のシンボルの速度クラスを自由に設定できるため、ユーザの利用する通信データに応じた適切な伝送速度表示を移動端末１００に行うことができる。このような、ユーザの利用する通信データに応じた適切な伝送速度表示により、例えば、通信データとの関係において伝送速度が遅い場合に、ユーザはデータ通信を控える。このことは、ネットワークの回線効率の向上をもたらすこととなり、通信キャリア側の移動端末１００のユーザに対するサービス性を向上させる。
【０１１４】
さらに、本発明の第１の実施形態によれば、移動端末１００に表示させる伝送速度のシンボル種別をユーザが自己の好みに応じて設定できるため、ユーザの満足度を向上させることができる。
【０１１５】
次に本発明の第２の実施形態について説明する。
【０１１６】
本発明の第２の実施形態は移動端末１００において、決定したＣ／Ｉ値についての統計処理を行い、統計処理のデータに基づいて表示させるシンボルを変更するというものである。
【０１１７】
本発明の第２の実施形態が適用された移動通信システムの概略は、図１に示す本発明の第１の実施形態における移動通信システムと同じである。また、無線基地局２００の機能構成についても図３で示した本発明の第１の実施形態の無線基地局２００の機能構成と同じである。
【０１１８】
移動端末１００の機能構成は、図２で示した本発明の第１の実施形態とシンボル決定部１２０の行う処理の一部が異なる以外は同じである。なお、第２の実施形態の説明では、上記の第１の実施形態と同じ構成については、同じ符号を用いることとする。
【０１１９】
さて、本発明の第２の実施形態の移動通信システムの、移動端末１００による伝送速度に応じたシンボル表示動作について説明する。
【０１２０】
図１３は、第２の実施形態の移動通信システムの、移動端末１００による伝送速度に応じたシンボル表示動作シーケンスを説明するための図である。
【０１２１】
なお、図１３において、図７に示すフローと同じ処理に対しては同じ符号を付している。
【０１２２】
シンボル決定部１２０で該当するシンボルを決定するところまでは図７に示す第１の実施形態の場合と同じである（Ｓ７０１〜Ｓ７１４）。
【０１２３】
シンボル決定部１２０は、さらに、シンボル決定後、任意の間隔でＤＲＣ値の決定の基にしたＣ／Ｉ値の統計処理を行う（Ｓ７１９）。統計処理では、予め定めた時間当たりのＣ／Ｉ値の増減傾向値を求める。この総計処理の方法はどのようなものでもよい。予め定めた時間当たりのＣ／Ｉ値の増減傾向の値が求められるものであればよい。
【０１２４】
シンボル決定部１２０は、統計処理の結果のＣ／Ｉ値の増減傾向の値が、予め定めている値より減少傾向を示すものである場合は（Ｓ７２０）、表示する速度クラスを現状の速度クラスから一つ下げ（Ｓ７２１）、それをシンボル表示部１１０に指示する（Ｓ７１５、Ｓ７１６）。
【０１２５】
例えば、移動端末１００のシンボル決定テーブル６００が全てデフォルトで設定されており、シンボル表示の引数のＤＲＣ値に対応する伝送速度が「１．５Ｍｂｐｓ」であるとする。この場合に、シンボル決定部１２０が上記の統計処理により速度クラスを下げる判断をしたときは（Ｓ７１９〜７２１）、デフォルトテーブル６１０と、伝送速度「１．５Ｍｂｐｓ」とから特定される速度クラスを「２」から一つ下げて「３」とする。したがって、シンボル表示部１１０に表示されるシンボルは、図１４に示すシンボル表示画面５５０のように、「バケツ」のシンボルが１つ表示される（速度クラスを下げる判断がされなければ、図８に示すシンボル表示画面５１０のようにシンボルが２つ表示される）。
【０１２６】
以上のように、本発明の第２の実施形態は、伝送速度の変化の傾向を踏まえた伝送速度の速度クラスのシンボル表示を行っている。そのため、特に長時間を費やす大容量のデータを受信するユーザに対して、データの受信を行うか否かについての適切な判断材料を提供することができ、ユーザの満足度を向上させることができる。
【０１２７】
次に本発明の第３の実施形態について説明する。本発明の第３の実施形態は移動端末１００側で伝送速度に応じたシンボル表示を決定するのではなく、無線基地局２００側で伝送速度を決定して、該決定した伝送速度に応じたシンボルを移動端末１００が表示するものである。
【０１２８】
本発明の第３の実施形態が適用された移動通信システムの概略は、図１に示す本発明の第１の実施形態における移動通信システムと同じである。
【０１２９】
無線基地局２００の機能構成は、制御部２３０と統計処理部２４０とが行う処理の一部が異なる以外は、図３で示した第１の実施形態の無線基地局２００の機能構成と同じである。無線基地局２００の制御部２３０は、通信処理部２２０にパイロット信号の送信を行わせる。また、制御部２３０は、移動端末１００に対して行うデータ通信の伝送速度を決定する。さらに、制御部２３０は、通信処理部２２０に送信させるパイロット信号に前記の決定した伝送速度を示すフラグを含める。この伝送速度を示すフラグは、移動端末１００の記憶部１６０に格納されているシンボル決定テーブルのデータに関連付けられている。
【０１３０】
また、本発明の第３の実施形態は制御部２３０が行う伝送速度の決定の方法は特に限定しない。例えば、統計処理部２４０が、計測部２１０が計測した移動端末１００からの伝送速度の要求データに対して任意に統計処理をし、その結果に基づいて伝送速度を決定することとしてもよい。また、ネットワークのトラフィックの状態や、無線基地局２００側の何らかの事情によりユーザの使用を抑制、喚起したい場合に制御部２３０が伝送速度を決定することとしてもよい。また、通信キャリア側がユーザに対して複数種類の通信サービスを提供することとして、無線基地局２００側において、ユーザとの通信契約に応じた伝送速度を決定することとしてもよい。
【０１３１】
移動端末１００の機能構成は、図２に示す第１の実施形態と、信号処理部１３０の行う処理の一部と、シンボル決定部１２０の行う処理の一部とが異なる以外は同じである。なお、第３の実施形態の説明では、上記の第１の実施形態と同じ構成については、同じ符号を用いることとする。
【０１３２】
ここで、移動端末１００の記憶部１６０に格納されているシンボル決定テーブルについて説明する。図１５は、本発明の第３の実施形態のシンボル決定テーブル６４０のデータ構造の一例を模擬的に示したものである。
【０１３３】
図示するように、シンボル決定テーブル６４０は、項番を登録するエントリ６４１と、シンボル種別を登録するエントリ６４２とを備えている。ここで、シンボル決定テーブル６４０の各データは、移動端末１００の提供者が予め格納しておくものとする。例えば、シンボル決定テーブル６４０には、項番別（「１」、「２」、「３」）毎に、移動端末１００に表示させる伝送速度を表すシンボルが互いに対応付けて格納されている。本例のシンボル種別を登録するエントリ６４２には、「大容量データの通信に最適な伝送速度を表すシンボル６４３」と、「電子メールの通信に最適な伝送速度を表すシンボル６４４」と、「非常に伝送速度が遅いことを表すシンボル６４５」と、が格納されている。
【０１３４】
図１６は、第３の実施形態の移動通信システムの、移動端末１００による伝送速度に応じたシンボル表示動作シーケンスを説明するための図である。
【０１３５】
なお、図１６では、図７に示すフローと同じ処理に対しては同じ符号を付している。
【０１３６】
無線基地局２００の通信処理部２２０はパイロット信号を送信する（Ｓ７０１）。このパイロット信号の任意の場所には、上述の通り、移動端末１００のシンボル決定テーブル６４０に格納されているデータと関連付けられている伝送速度を示すフラグデータが含まれている。
【０１３７】
移動端末１００のシンボル決定部１２０が信号処理部１３０にＤＲＣ値の回答する処理については、図７に示す第１の実施形態と同じである（Ｓ７０２〜Ｓ７０６）。信号処理部１３０は、これらの処理に加えて、パイロット信号に含まれるシンボル決定テーブル６４０に格納されているデータと関連付けられているフラグデータを読み出して（Ｓ７１８）、該フラグデータをシンボル決定部１２０に送信し、シンボル要求指示を行う（Ｓ７１１）。
【０１３８】
シンボル要求指示を受けたシンボル決定部１２０は、上記フラグデータと、シンボル決定テーブル６４０のデータとに基づいてシンボルを決定し（Ｓ７１９）、シンボル表示部１１０にシンボル表示の指示を行う（Ｓ７１６）。シンボル表示部１１０は、シンボル決定部１２０の指示にしたがって、伝送速度に基づいたシンボル表示を行う（Ｓ７１６）。
【０１３９】
図１７は、本発明の第３の実施形態における移動端末１００のシンボル表示画面を例示したものである。本例は、無線基地局２００が送信するパイロット信号に、「電子メールの通信に最適な伝送速度」を示すフラグデータが含まれていた場合を示している。シンボル決定部１２０は、上記フラグデータと、図１５に示したシンボル決定テーブル６４０とから、表示するシンボルを決定し、シンボル表示部１１０にシンボル表示画面５６０に示すように、「電子メールの通信に最適な伝送速度を表した手紙６４４」のデザインのシンボルを表示させる。
【０１４０】
以上のように、本発明の第３の実施形態によれば、無線基地局２００側で決定した伝送速度を、移動端末１００側に伝送速度に関するシンボルとして表示させることができる。そのため、無線基地局２００側で、例えばネットワークのトラフィックを考慮した伝送速度を決定し、それを移動端末１００に表示することで、ユーザに対し、データ通信を抑制、又は、喚起させることができる。
【０１４１】
次に、本発明の第４の実施形態について説明する。第４の実施形態は、第１の実施形態が伝送速度の速度クラスをシンボルの数でクラス分けして表示していたのに対して、シンボルの種別でクラス分けして表示するものである。
【０１４２】
本発明の第４の実施形態は、移動端末１００の記憶部１６０に記憶されるシンボル決定テーブルのデータ構造が異なる以外は、本発明の第１の実施形態と同じである。なお、第４の実施形態の説明では、上記の第１の実施形態と同じ構成については、同じ符号を用いることとする。
【０１４３】
図１８は本発明の第４の実施形態の移動端末１００の記憶部１６０に記憶されるシンボル決定テーブル８００のデータ構造の一例を模擬的の示したものである。
【０１４４】
図示するように、シンボル決定テーブル８００は、指定クラステーブル８０１と、デフォルトテーブル８１０と、ユーザ定義テーブル８２０と、を有する。
【０１４５】
デフォルトテーブル８１０は、速度クラスを登録するエントリ８１１と、伝送速度を登録するエントリ８１２と、シンボル種別を登録するエントリ８１３と、を備えている。ここでデフォルトテーブル８１０の各データは、移動端末１００の提供者が予め格納しておくこととする。エントリ８１１に登録される速度クラスは、伝送速度を速度別にクラス分けしたものである。ここでは、３つの速度クラスに分けているが、本発明は特にこれに限定されるものではなく、複数の速度クラスに分けて構成されていればよい。エントリ８１２に登録される伝送速度は、３つに分けた速度クラス８１１各々に伝送速度を対応付け（分類）したものである。そして、エントリ８１３に登録されるシンボルは、移動端末１００のシンボル表示部１１０に表示させるシンボルの種類を定義したものである。
【０１４６】
例えば、図１８に示すデフォルトテーブル８１０には、速度クラスが「１」には、伝送速度に「２．４〜２．０（Ｍｂｐｓ）」、シンボル種別に「大容量データの通信に最適な伝送速度を表すシンボル８１４」が格納されている。また、速度クラスが「２」には、伝送速度に「２．０〜０．５（Ｍｂｐｓ）」、シンボル種別に「電子メールの通信に最適な伝送速度を表すシンボル８１５」が格納されている。また、速度クラスが「３」には、伝送速度に「〜０．５（Ｍｂｐｓ）」、シンボル種別に「非常に伝送速度が遅いことを表すシンボル８１６」が格納されている。
【０１４７】
ユーザ定義テーブル８２０は、デフォルト定義テーブル８１０と同様に、速度クラスを登録するエントリ８２１と、伝送速度を登録するエントリ８２２と、シンボル種別を登録するエントリ８２３とを備えている。ユーザ定義テーブル８２０は、移動端末１００のシンボル表示部１１０に、上記デフォルトの伝送速度のシンボルと異なるシンボル表示させる場合に用いられるものである。
【０１４８】
例えば、図１８に示すユーザ定義テーブル８２０には、速度クラス８２１が「１」には、伝送速度８２２に「２．４〜１．５（Ｍｂｐｓ）」、シンボル種別８２３に「画像データの通信に最適な速度クラスを示すカメラ（写真）のシンボル８２４」が格納されている。また、速度クラス８２１が「２」には、伝送速度８２２に「１．５〜０．１（Ｍｂｐｓ）」、シンボル種別８２３に「メール（手紙）のシンボル８２５」が格納されている。速度クラス８２１が「３」には、伝送速度８２２に「〜０．１（Ｍｂｐｓ）」、シンボル種別８２３に「非常に伝送速度が遅いことを表すシンボル８２６が格納されている。
【０１４９】
指定クラステーブル８０１のデータ構造は、第１の実施形態において示した指定クラステーブル６０１と同じである。
【０１５０】
続いて、本発明の第４の実施形態の移動通信システムの、移動端末１００による伝送速度に応じたシンボル表示動作について図７と、図１８とを用いて説明する。ここでは、シンボル決定テーブル８００が、全てデフォルトで設定されており、かつ、シンボル決定部１２０が用いるシンボル表示の引数のＤＲＣ値に対応する伝送速度が「１．５Ｍｂｐｓ」であるとする。
【０１５１】
シンボル決定部１２０にて指定クラスを判定するところまでは第１の実施形態と同じである（Ｓ７０１〜７１２）。シンボル決定部１２０は参照するテーブルとして、デフォルトテーブル８１０を選定する（Ｓ７１３）。また、シンボル決定部１２０は、デフォルトテーブル８１０と、シンボル表示の引数のＤＲＣ値に対応する伝送速度の「１．５Ｍｂｐｓ」とに基づいて、表示するデータを決定し（Ｓ７１４）、シンボル表示部１１０にシンボル表示の指示を行う（Ｓ７１５，Ｓ７１６）。
【０１５２】
本例においては、シンボル表示部１１０には、図１７に示すように、伝送速度「１．５Ｍｂｐｓ」に対応する速度クラス「２」の「手紙（メール）」のシンボルが表示される（Ｓ７１７）。なお、伝送速度と、表示シンボルとをユーザ側にて設定した場合は、シンボル決定部１２０は参照するテーブルとして、ユーザ定義テーブル８２０を選定する（Ｓ７１３）。
【０１５３】
以上のように、本発明の第４の実施形態によれば、移動端末１００において、伝送速度の速度クラスのシンボル表示をシンボルの種類で行うため、ユーザは、通信するのに最適な伝送速度を、シンボル種別により一見して把握できる。また、本発明の第４の実施形態によれば、ユーザが移動端末１００に表示する伝送速度のシンボルの速度クラスの分類を自由に設定して、それに対応する速度表示をシンボルの種別で行なえるため、ユーザの利用する通信データに応じた適切な伝送速度表示を移動端末１００に行うことができる。
【０１５４】
なお、本発明は以上で説明した実施形態に限定されるものではなく、本発明の要旨の範囲内において種々の変形が可能である。例えば、図１に示すように無線基地局２００に移動交換局３００が接続されるのではなく、無線基地局２００と直接他のネットワークが接続される構成としともよい。
【０１５５】
【発明の効果】
以上説明したように、本発明によれば、移動通信システムにおいて、ユーザが行う通信データの種類に応じた伝送速度に関連付けたシンボル表示ができる。また、本発明によれば、基地局側で決定した伝送速度に関連付けたシンボル表示ができる。
【図面の簡単な説明】
【図１】本発明の第１実施形態が適用された移動通信システムの概略図である。
【図２】本発明の第１実施形態が適用された移動端末１００の機能構成を示す図である。
【図３】本発明の第１実施形態が適用された無線基地局２００の機能構成を示す図である。
【図４】データ通信にＨＤＲシステムを適用した場合における第１実施形態の移動通信システムの伝送速度決定シーケンスを説明するための図である。
【図５】本発明を適用した移動端末１００の伝送速度決定テーブル６５０のデータ構造の一例を模擬的に示した図である。
【図６】本発明の第１の実施形態を適用した移動端末１００のシンボル決定テーブル６００のデータ構造の一例を模擬的に示した図である。
【図７】第１実施形態の移動通信システムの、移動端末１００による伝送速度に応じたシンボル表示動作シーケンスを説明するための図である。
【図８】本発明の第１の実施形態が適用された移動端末１００のシンボル表示部１１０が表示するシンボル表示画面の一例を示したものである。
【図９】本発明の第１の実施形態が適用された移動端末１００のシンボル表示部１１０が表示するシンボル表示画面の一例を示したものである。
【図１０】本発明の第１の実施形態が適用された移動端末１００のシンボル表示部１１０が表示するシンボル表示画面の一例を示したものである。
【図１１】本発明の第１の実施形態が適用された移動端末１００のシンボル表示部１１０が表示するシンボル表示画面の一例を示したものである。
【図１２】本発明の第１の実施形態の移動通信システムの、移動端末１００によるシンボル定義テーブルおよびユーザ定義テーブル登録・更新動作シーケンスを説明するための図である。
【図１３】本発明の第２の実施形態の移動通信システムの、移動端末１００による伝送速度に応じたシンボル表示動作シーケンスを説明するための図である。
【図１４】本発明の第２の実施形態が適用された移動端末１００のシンボル表示部１１０が表示するシンボル表示画面の一例を示したものである。
【図１５】第３の実施形態において、記憶部１６０に格納されるシンボル決定テーブル６４０のデータ構造の一例を模擬的に示したものである。
【図１６】第３の実施形態の移動通信システムの、移動端末１００による伝送速度に応じたシンボル表示動作シーケンスを説明するための図である。
【図１７】本発明の第３の実施形態が適用された移動端末１００のシンボル表示部１１０が表示するシンボル表示画面の一例を示したものである。
【図１８】第４の実施形態の移動端末１００の記憶部１６０に記憶されるシンボル決定テーブル８００のデータ構造の一例を模擬的の示したものである。
【符号の説明】
１００ａ，ｂ，ｃ，ｄ…移動端末、１１０…シンボル表示部、１２０…シンボル決定部、１３０…信号処理部、１４０…送受信部、１５０…ユーザインタフェース部、１６０…記憶部、１７０…アンテナ、２００…無線基地局、２１０…計測部、２２０…通信処理部、２３０…制御部、２４０…統計処理部、２５０…記憶部、２６０…インタフェース部、２７０…アンテナ、３００…移動交換局、３１０…ルータ、４００…他のネットワーク、５１０…シンボル表示画面例１、５２０…シンボル表示画面例２、５３０…シンボル表示画面例３、５４０…シンボル画面表示例４、５５０…シンボル画面表示例５、５６０…シンボル画面表示例６、６００…シンボル決定テーブル、６０１…指定クラステーブル、６１０…デフォルトテーブル、６１１…速度クラス、６１２…伝送速度、６１３…シンボル種別、６２０…ユーザ定義テーブル、６２１…速度クラス、６２２…伝送速度、６２３…シンボル種別、６３０…シンボル定義テーブル、６３１…デフォルト、６３２…ユーザ設定（１）、６３３…ユーザ設定（２）、６３４…ユーザ設定（３）、６３５…ユーザ設定（４）、６３６…ユーザ設定（５）、６４０…シンボル決定テーブル、６４１…項番、６４２…シンボル種別、６４３…大容量通信可能な速度クラスのシンボル、６４４…電子メールの送受信の最適な速度クラスのシンボル、６４５…伝送速度が非常に低いことを示す速度クラスのシンボル、６５０…伝送速度決定テーブル、６５１…伝送速度、６５２…ＤＲＣ値、６５３…Ｃ／Ｉ値、８００…シンボル決定テーブル、８０１…指定クラステーブル、８１０…デフォルトテーブル、８１１…速度クラス、８１２…伝送速度、８１３…シンボル種別、８１４…大容量通信可能な速度クラスのシンボル、８１５…電子メールの送受信の最適な速度クラスのシンボル、８１６…伝送速度が非常に低いことを示す速度クラスのシンボル、８２０…ユーザ定義テーブル、８２１…速度クラス、８２２…伝送速度、８２３…シンボル種別、８２４…画像データの送受信の最適な速度クラスのシンボル、８２５…電子メールの送受信の最適な速度クラスのシンボル、８２６…伝送速度が非常に低いことを示す速度クラスのシンボル。
【図１】
2004056208.tif 000003
【図２】
2004056208.tif 000004
【図３】
2004056208.tif 000005
【図４】
2004056208.tif 000006
【図５】
2004056208.tif 000007
【図６】
2004056208.tif 000008
【図７】
2004056208.tif 000009
【図８】
2004056208.tif 000010
【図９】
2004056208.tif 000011
【図１０】
2004056208.tif 000012
【図１１】
2004056208.tif 000013
【図１２】
2004056208.tif 000014
【図１３】
2004056208.tif 000015
【図１４】
2004056208.tif 000016
【図１５】
2004056208.tif 000017
【図１６】
2004056208.tif 000018
【図１７】
2004056208.tif 000019
【図１８】
2004056208.tif 000020